(57)【要約】【課題】紙類を綴じる綴じ帯において、綴じられる紙類の量に応じて綴じ孔から突出する綴じ帯の長さが調節可能で、且つ綴じ孔が拡がらない綴じ帯を提供し、綴じ帯の使い易さを向上させることを課題とする。【解決手段】紙類に設けられた２つの綴じ孔に挿通されて用いられる綴じ帯であって、前記綴じ帯は、一方の端側の第一部分と他方の端側の第二部分とが分離可能とされ、前記第一部分は、前記他方の端側に係合部が設けられ、前記第二部分は、前記一方の端側に、前記係合部に着脱可能に係合される被係合部が設けられ、前記係合部及び前記被係合部は、複数の位置で係合可能とされ、係合位置が調節されることで綴じ帯の長さが調整される。【選択図】  図５
2009269282.tif 000002
【特許請求の範囲】
【請求項１】
紙類に設けられた２つの綴じ孔に挿通されて用いられる綴じ帯であって、
前記綴じ帯は、一方の端側の第一部分と他方の端側の第二部分とが分離可能とされ、
前記第一部分は、前記他方の端側に係合部が設けられ、
前記第二部分は、前記一方の端側に、前記係合部に着脱可能に係合される被係合部が設けられ、
前記係合部及び前記被係合部は、複数の位置で係合可能とされ、係合位置が調節されることで綴じ帯の長さが調整される綴じ帯。
【請求項２】
前記係合部及び前記被係合部は、
一方に設けられた、前記綴じ帯から突設している突起部が、他方に設けられた孔部に挿入されることで係合され、
少なくとも前記係合部には、前記突起部及び前記孔部の少なくとも一方が複数設けられ、前記突起部を挿入させる前記孔部を選択することで綴じ帯の長さが調整される、請求項１に記載の綴じ帯。
【請求項３】
対になる綴じ孔が設けられた綴じ帯係止部を有するファイル本体部を備え、前記綴じ孔に、請求項１又は２に記載の綴じ帯の前記一方の端側及び前記他方の端側がそれぞれ挿通された、ファイル。
【請求項４】
前記ファイル本体部は、表表紙部、背表紙部及び裏表紙部を有し、
前記背表紙部の幅の調整手段を更に備えた、請求項３に記載のファイル。
【発明の詳細な説明】
【技術分野】
【０００１】
本発明は、紙類に設けられた綴じ孔に挿通させて紙類を綴じる綴じ帯、及びこれを用いたファイルに関する。
【背景技術】
【０００２】
従来、背表紙部の幅（厚さ）を調整可能なファイルが提案されている。このようなファイルでは、背表紙部の幅を広くするだけでは紙類を綴じられる量には限度があるため、綴じ帯の長さを変更する技術も提案されている。例えば、紙葉類（紙類）に設けた二つの綴じ孔にそれぞれ挿通される可撓性を有する綴じ帯を、前記綴じ孔に挿通させるとともにその自由端側を抜止め状態とする構成のファイル用綴じ具において、前記綴じ帯は、その両側に位置する一対の帯状部と、前記一対の帯状部間に設けられ且前記綴じ孔に抜止め状態となる一対のストッパー部と、前記一対のストッパー部を連結する連結片部とからなり、前記連結片部は容易に切断可能としたファイル用綴じ具が提案されている（例えば特許文献１を参照。以下、本従来技術における綴じ帯を「従来の綴じ帯」と表記する。）。
【０００３】
従来の綴じ帯は、紙類の綴じ量が多くなった場合に、連結片部を切断することで、ファイル本体部に設けられた２つの綴じ孔の略中央の位置に配置されていた連結片部を綴じ孔周辺部にまで相対移動させることができるため、当該綴じ孔を基準として引き出された側（先端部側）の綴じ帯の長さを、切断前と比べて長くすることができる。従って、綴じられる紙類の量が順次増えていく場合には、はじめは連結片部が連結した状態の、ファイル本体部に設けられた綴じ孔から引き出される綴じ帯の長さが短い状態から、連結片部を切り離した状態の、綴じ孔から引き出される綴じ帯の長さが長い状態に順に変化させることができ、綴じ量に応じた綴じ足の長さ（綴じ孔から引き出される綴じ帯の長さ）が得られる。
【特許文献１】特許第３０９５６９０号公報
【発明の開示】
【発明が解決しようとする課題】
【０００４】
しかしながら、従来の綴じ帯は、連結片部において一旦切断されてしまうと、切断される前の元の綴じ帯に戻すことができない。従って、一旦連結片部を切り離してしまった後、綴じる紙類の幅（本明細書における「紙類」とは綴じ帯に綴じられる全ての紙類をあわせたものを言う。従って、「紙類の幅」とは、複数の紙類を綴じる場合には全ての紙類をあわせた幅を意味する。）が狭くなった場合に、綴じ帯先端部が必要以上に余ってしまう。
【０００５】
また、従来の綴じ帯は、連結片部を切断するか否かでしか長さを調整することができないため、綴じられる紙類の幅に略リニアに対応させることができない（綴じられる紙類の幅に応じて綴じ帯の長さを調整することができない。）。
【０００６】
本発明は上記問題に鑑みなされたものであり、紙類を綴じる綴じ帯において、ファイル等の綴じ孔から突出される綴じ帯の長さを、綴じられる紙類の量に応じ適切な長さに調整することが可能な綴じ帯の提供を目的とする。
また、このような綴じ帯を備えた、綴じる紙類の量に応じて綴じ足（ファイルに設けられた綴じ孔から引き出された（当該綴じ孔よりも書類が綴じられる側の）綴じ帯）の長さを調整できるファイルを提供することを他の目的とする。
【課題を解決するための手段】
【０００７】
上記課題を解決するために、本発明に係る綴じ帯は、紙類に設けられた２つの綴じ孔に挿通されて用いられる綴じ帯であって、綴じ帯は、一方の端側の第一部分と他方の端側の第二部分とが分離可能とされ、第一部分は、他方の端側に係合部が設けられ、第二部分は、一方の端側に、係合部に着脱可能に係合される被係合部が設けられ、係合部及び被係合部は、複数の位置で係合可能とされ、係合位置が調節されることで綴じ帯の長さが調整される構成を採用する。
また、本発明に係るファイルは、上記綴じ帯を構成要素として含む。
【発明の効果】
【０００８】
本発明によれば、綴じられる紙類の量に応じて長さが調節可能な綴じ帯を提供できる。また、綴じられる紙類の幅（綴じられる紙類の総量の幅）に応じて綴じ足の長さを調整可能なファイルを提供できる。
【発明を実施するための最良の形態】
【０００９】
ここで、本発明に係る延長短縮式綴じ帯３１、及びこれを用いたファイル１の一実施例について、図面を参照しながら詳細に説明する。着脱式綴じ帯３１（綴じ帯）は、綴じられる紙類８の量に応じて、背表紙部４の幅が変更自在なファイル１に具備される。
【００１０】
まず、ファイル１について説明する。図１は、ファイル１の表紙部３４の平面図である。図２は、図１のＡ−Ａ断面図（概略断面図）である。
【００１１】
表紙部３４は、綴じられる紙類８の量に応じて背表紙部４の幅を自在に変更可能な構成が採用され、表表紙部２と裏表紙部３と背表紙部４と収納部５とを備える。表表紙部２には、背表紙部４との境界に第二綴じ帯係止部７がファイル内側方向に突出するように形成されている。図２に示すように、第一綴じ帯係止部６及び第二綴じ帯係止部７にはそれぞれ貫通孔６ａ、７ａ（ファイル側の綴じ孔）が設けられている。裏表紙部３には、背表紙部４の境において第一綴じ帯係止部６がファイル内側方向に（表紙部３４の内側に）突出するように形成されている。背表紙部４は、上記の通り裏表紙部３側の一部又は全部が収納部５に出し入れ自在に（引き出し可能に）収納され、ファイル１に綴じられる量に応じて外部に露出する量（ファイル１の厚み／ファイル１の背幅）が調整される。収納部５は、背表紙部４の表表紙部２と接する側とは反対側の一部又は全部を収納する、裏表紙部３に設けられた部材である。貫通孔６ａ、７ａは、紙類８を綴じる際、貫通孔６ａ、（紙類８に設けられた）綴じ孔８ａ、貫通孔７ａが連通する位置に配置されている。
【００１２】
図２に示すように、第二綴じ帯係止部７は、表表紙部２側の面に、合成樹脂製の綴じ帯固定部９が取り付けられている。綴じ帯固定部９は、紙類８を綴じた状態において貫通孔７ａと連通する位置に貫通孔９ａが設けられ、さらに、延長短縮式綴じ帯３１の両端（綴じ帯における紙類８を綴じる方向／先端部）をそれぞれ係止する、断面Ｌ字状の一対の係止突起部１０が形成されている。なお、綴じ具は、公知の他の構成を採用してもよい。
【００１３】
次に、延長短縮式綴じ帯３１の構成について図３乃至図５を参照しながら説明する。図３は延長短縮式綴じ帯３１を構成する第一帯状部３２の側面図である。図４は延長短縮式綴じ帯３１を構成する第二帯状部３３の上面図である。図５は、第一帯状部３２と第二帯状部３３が組み合わされて（係合されて）延長短縮式綴じ帯３１とされた状態における、第一帯状部３２と第二帯状部３３の結合部分の模式図（概略断面図）である。
【００１４】
延長短縮式綴じ帯３１は、係合部２１が設けられている第一帯状部３２と、被係合部２４が設けられている第二帯状部３３とを有する。図３に示すように、第一帯状部３２は、帯の一端に長手方向に複数の係合部２１が設けられている（本明細書においては、第一帯状部３２における係合部２１が設けられている端部を適宜「後端」と表記し、他方の端を
適宜「先端」と表記する。）。係合部２１は、帯状部上に軸部２２頭部２３が順次積層された構成が採用される。頭部２３は、軸部２２の軸部２２よりも径が大きい。
【００１５】
図４に示すように、第二帯状部３３は、帯の端から長手方向に複数の被係合部２４が設けられる（本明細書においては、第二帯状部３３における被係合部２４が設けられている端部側を適宜「後端」と表記し、他方の端を適宜「先端」と表記する。）。被係合部２４は、係合部２１と係合する部材であり、それぞれ略円形の貫通孔である第一貫通孔２５と、これにつながっている第二貫通孔２６とを有する。第一貫通孔２５は、頭部２３の径と同等以上の径を持つ、頭部２３を抵抗なく（自在に）挿入可能な貫通孔である。第二貫通孔２６は、軸部２２の径と同等以上で頭部２３の径よりも小さい径を備えた貫通孔である。第一貫通孔２５と第二貫通孔２６は繋がっており、境界の幅（径）は軸部２２の径と同等以上である。
【００１６】
図５に示すように、第一帯状部３２に設けられた係合部２１が第二帯状部３３に設けられた被係合部２４と係合することで一本の綴じ帯（延長短縮式綴じ帯３１）となる。第一帯状部３２と第二帯状部３３とを連結させるには、係合部２１と被係合部２４とを向かい合わせ、被係合部２４の第一貫通孔２５に係合部２１の頭部２３を挿入して第一貫通孔２５内に軸部２２を配置させ、軸部２２を第二貫通孔２６にスライド移動させる（第二貫通孔２６と軸部２２とを接触させる。）。頭部２３は、上記したように第二貫通孔２６よりも径が大きい為に第二貫通孔２６から抜き出ず、これにより係合部２１と被係合部２４との係合状態が維持される。他の係合部２１と被係合部２４についてもそれぞれ同様に係合する。
第一帯状部３２と第二帯状部３３の連結を外す際は、軸部２２を第二貫通孔２６から第一貫通孔２５へスライド移動させ、頭部２３を第一貫通孔２５から外せばよい。
綴じ帯３１は、係合部２１が被係合部２４と係合する係合箇所を変更すれば、綴じ孔（貫通孔６ａ）から突出する綴じ帯（綴じ足）の長さが調節可能である。以下、この綴じ足の長さを調節する機構・様子について説明する。
【００１７】
図６は、綴じ足の長さを最長にするための係合部２１と被係合部２４の組み合わせを説明するための第一帯状部３２と第二帯状部３３の断面図である。図７は、綴じ足の長さを最短にするための係合部２１と被係合部２４の組み合わせを説明するための第一帯状部３２と第二帯状部３３の断面図である。
【００１８】
図６に示すように、延長短縮式綴じ帯３１は、第一帯状部３２の最も後端側の係合部２１ａが、第二帯状部３３の最も後端側の被係合部２４ａと係合することによって、綴じ足の長さが最長となる。すなわち、第一帯状部３２と第二帯状部３３とが重なる部分が最も少ない状態となる係合部２１、被係合部２４の組み合わせが選択されることで、綴じ足の長さが最も長くなる。
図７に示すように、延長短縮式綴じ帯３１は、第一帯状部３２の最も後端側の係合部２１ａが、第二帯状部３３の最も内側（先端側）の被係合部２４ｅと係合し、第一帯状部３２の最も内側（先端側）の係合部２１ｅが第二帯状部３３の最も後端側の被係合部２４ａと係合し、その他の係合部２１と被係合部２４は、それぞれ対向する被係合部２４、係合部２１と係合することによって、綴じ足の長さが最短となる。すなわち、第一帯状部３２と第二帯状部３３とが重なる部分が最も多くなる係合部２１と被係合部２４の組み合わせが選択されることで、綴じ足の長さが最も短くなる。
上記同様に、係合部２１と被係合部２４の組み合わせを適宜選択することで上記以外の（最長と最短以外の）長さの綴じ帯／綴じ足にすることができる。
このように、係合部２１と被係合部２４は着脱可能であり、綴じられる紙類８の量に応じて係合部群と被係合部群の係合箇所を変える（係合させる係合部２１と被係合部２４との組み合わせを変える）ことによって、綴じ孔８ａから突出する綴じ帯の長さ（綴じ足の
長さ）／綴じ帯の長さを容易に変更できる。
【００１９】
なお、図５及び図７に示すように、第一帯状部３２と第二帯状部３３は、それぞれ、係合部２１、被係合部２４に隣接して薄肉部３０が設けられている。薄肉部３０は、周囲の部分に比べて薄く折れ曲がりやすいため、紙類８を綴じる際や、貫通孔６ａや綴じ孔８ａ等に綴じ帯の先端部が挿通される際、帯状部の薄肉部３０よりも先端部側が、貫通孔６ａ〜貫通孔９ａで構成される連通孔方向に向きやすくなる（紙類８に対して立ち上げやすくなる）。従って、紙類８等の綴じ孔に対して斜め方向の力が加わりにくくなり、貫通孔６ａや綴じ孔８ａに負荷がかかり、広がってしまったり破れてしまったりすることを防止できる。
【００２０】
次に、延長短縮式綴じ帯３１が組み込まれたファイル１について説明する。図８は、綴じられる紙類８の量が最小の場合の構成を示したファイル１の正面図である。図８に示すように、ファイル１は、少数の紙類８を綴じる場合（綴じられる紙類８の総量の幅が狭い場合）には、背表紙部４の殆どが裏表紙部３の収納部５内に収納された状態となる。この状態において紙類８をファイル１から取り除くと、第一綴じ帯係止部６と第二綴じ帯係止部７は略接触した状態となる。
【００２１】
延長短縮式綴じ帯３１は、連通孔を形成している貫通孔６ａ、綴じ孔８ａ、貫通孔７ａ、貫通孔９ａに各帯状部の先端から順に挿通される。各帯状部の先端部は、綴じ帯固定部９に設けられている断面略Ｌ字状の係止突起部１０側にそれぞれ屈曲され、係止突起部１０内に嵌め込まれて係止される。以上のようにファイル１は、第一綴じ帯係止部６と第二綴じ帯係止部７との間に、延長短縮式綴じ帯３１によって少量の紙類８を綴じ込む。
【００２２】
綴じる紙類８の量を増やす場合には（紙類８の幅（総幅）が厚くなる場合には）、図１に示すように、背表紙部４は、収納部５から引き出され、綴じられる紙類８の量に応じた幅とされる。このように紙類８の幅が厚くなった場合、図８に示す例と同じ綴じ足の長さでは貫通孔８ａから綴じ足先端部を露出できなかったり、係止突起部１０で係止させるのに十分な量の綴じ足を露出できなかったりする。そこで、延長短縮式綴じ帯３１は、上記したように第一帯状部３２と第二帯状部３３の係合位置が調整されて図８に示す例よりも長くされ、第一綴じ帯係止部６の貫通孔６ａから突出する延長短縮式綴じ帯３１の両端の長さ（綴じ足の長さ）が長くなる。従って、綴じ足先端部は貫通孔９ａを通過して係止突起部１０に係止され、紙類８がファイル１に綴じられる。
【００２３】
図１に示すような幅の広い紙類８を綴じる状態とされたファイル１において、綴じる紙類８の量を少なくする場合（紙類８の幅を狭くする場合）には、綴じられる紙類８の幅に比べて背表紙部４の露出部分の量（ファイル１の背幅）が広すぎる。この状態だと、ファイル１が無駄に厚くなってしまうという問題や、また、背表紙部４が外部のものに引っかかりやすくなり背表紙部４が破れる可能性があるという問題など、種々の問題がある。従って、背表紙部４の露出量（ファイル１の幅）を調整する必要があり、図１の状態において背表紙部４の一部又は全部を収納部５に収納することとなる。
【００２４】
このように図１の状態から図８の状態へファイル１の背幅量を調整した場合、上記のようにして長くした綴じ足は、係止突起部１０が係止するのに必要な量以上のものとなってしまう。このように長すぎる綴じ足は、例えば先端部がファイル外に飛び出てしまう場合があり、この場合、ファイル１による自立を妨げてしまったり、他のファイルや書類等に引っかかってしまいそれらを破損させてしまったり書庫に入れにくくなってしまうといった問題が生じ得る。ファイル１内の書類等を閲覧する場合に、長すぎる綴じ足が紙類と利用者との間に配置されてしまい、閲覧を邪魔してしまう場合もある。綴じ足先端部が紙類８を傷つけてしまう場合もある。綴じ足が紙類８の幅と比べて長すぎると、綴じ足をファ
イル１の貫通孔（適宜綴じ孔とも表記する。）や紙類８の綴じ孔８ａに出し入れする作業が難しいものとなり、この作業において綴じ足と綴じ孔８ａとが必要以上にこすれてしまい綴じ孔（場合によっては綴じ足にも）に負荷がかかってしまう問題があり、外観が悪くなるという問題もある。
【００２５】
そこで、綴じ足の長さを図１の場合よりも短くし、綴じられる紙類８の量にあわせた長さにするため、第一帯状部３２と第二帯状部３３の係合位置（係合部２１と被係合部２４の組み合わせ）を変える。これにより、以上の問題を解消できる。
【００２６】
以上により、本実施例では、綴じられる紙類の量に応じて綴じ孔から突出する綴じ帯の長さを調節可能な綴じ帯を提供し、綴じ帯の使い易さを向上させることが可能である。
【００２７】
なお、上記実施例においては、延長短縮式綴じ帯３１を２つの構成要素（第一帯状部３２と第二帯状部３３）で構成したが、少なくとも２つの部分に分離可能で、両部分の係合位置を調整可能とすればよい。例えば、一方の貫通部６ａに挿通される第一の部分と、他方の貫通部６ａに挿通される第二の部分と、第一の部分及び第二の部分の後端側を連結する第三の部分とで構成し、第一の部分の後端部及び／又は第二の部分の後端部と第三の部分の係合位置が変更できるようにしてもよい。
【００２８】
一方の帯状部に互いに異なる形式の係合部が設けられ、他方の帯状部にこれと対応する被係合部が設けられていてもよい。例えば、第一帯状部に図３に示すような突起状の係合部と、図４に示すような孔状の係合部を設け、第二帯状部にも被係合部としての図３様の突起状被係合部と図４様の孔状係合部を設けてもよい。この場合、係合部と被係合部の組み合わせによっては係合できないものもあり得るが、係合できる組み合わせが複数あれば「係合位置の調整」は可能であるので、上記同等の作用効果を奏する。
【００２９】
上記実施例では、第一帯状部３２及び第二帯状部３３に、それぞれ複数の係合部２１、被係合部２４を設けたが、例えば第一帯状部３２に一つの係合部２１しか設けなくても同等の作用効果が得られる。すなわち、第一帯状部３２に一つの突起状係合部を備え、この係合部２１を第二帯状部３３において複数設けられた図４様の孔状被係合部のいずれに係合させるか選択できるようにすれば、係合位置の調整が可能となり、綴じ帯の長さ／綴じ足の長さを調整することができる。
【００３０】
上記実施例では、係合部２１及び被係合部２４をそれぞれ複数設け、綴じ帯を３以上の長さに調整できるようにしたが、２つの長さに調整できるようにしてもよい。例えば、第一帯状部３２に１つの係合部２１を設け、第二帯状部３３に２つの被係合部２４を設けた構成としてもよい。この構成であっても、綴じ足を長くした後、さらに短くすることができるため、従来の綴じ帯では得られない、優れた作用効果を奏する。
【００３１】
当然、綴じ帯は、ファイル１を介さず直接紙類８を綴じるようにしてもよく、その場合であっても上記したような作用効果を奏する。
【００３２】
このように、本実施の形態に係る綴じ帯は、紙類に設けられた２つの綴じ孔に挿通されて用いられる綴じ帯であって、綴じ帯における一方の端側（一方の綴じ孔に挿通される側）の第一部分と他方の端側（他方の綴じ孔に挿通される側）の第二部分とが分離可能とされ、第一部分は、他方の端側（その後端側）に係合部が設けられ、第二部分は、一方の端側（その後端側）に、係合部に着脱可能に係合される被係合部が設けられ、係合部及び被係合部が複数の位置で係合可能とされているため、係合位置が調節され（上記例では係合させる係合部と被係合部の組み合わせが選択される）、綴じ帯の長さが調整可能となる。
なお、この構成では、第一部分、第二部分のいずれにも、それ自身が綴じ孔周辺部に係
止されるための抜き止め用ストッパー（例えば従来の綴じ帯で必要とされるストッパー部など）を設ける必要がない。従来の綴じ帯などではストッパーが綴じ孔及びその周辺に係止される必要があったため、綴じ孔及びその周辺に負荷がかかりやすかったが、本構成ではこの問題も解決している。
また、この綴じ帯は、従来の綴じ帯における諸問題（従来の綴じ帯は、綴じられる紙類の量（厚さ）と比べて必要以上に長すぎると、ファイル本体部並びに紙類に設けられた綴じ孔に綴じ帯を抜き差しする作業が極めて面倒となる。また、このようなファイルでは、ファイルに綴じられた状態の紙類を閲覧する際、綴じ帯が邪魔になってしまうこともあり得る。さらに、綴じ量に応じて背表紙の幅（ファイルの厚さ）を変更できるファイルにおいて、最大量綴じられた状態に対応した綴じ帯の長さ（綴じ孔から引き出された部分の長さ）のままで最小量の綴じ量に対応した背表紙の幅とされた場合、綴じ帯先端部がファイルからはみ出てしまう場合もあり得る。そのため、実務上、綴じ帯の長さは、連結片部が切断された状態で、かつ、綴じ量が最小の場合であっても綴じ帯先端部がファイルからはみ出ない範囲に設定せざるを得ない。）も解決している。
【００３３】
また、係合部（群）及び被係合部（群）は、突起部と孔部（貫通孔を含む。）が係合する方式とすることもできる。ここで言う突起部及び孔部は、狭義の係合部、被係合部を意味し、例えば、図６に示す一つの突起２１ａや孔部２４ａを指す。これらの集合がここで言う係合部（群）や被係合部（群）である。例えば、一方に設けられた、綴じ帯から突設している軸部と、軸部の先端部側に設けられた頭部とを備えた突起部が、他方に設けられた、軸部の径と同等以上で前記頭部の径よりも小さい径の孔部に挿入されることで係合し、かつ、突起部及び孔部の少なくとも一方が複数設けられ、突起部と孔部の組み合わせを選択することで綴じ帯の長さを調整できるようにすれば、綴じ帯に突起部や孔部を設けるという簡単な構成で上記したような優れた作用効果が得られる。
【００３４】
このような綴じ帯は、特にファイルに好適に用いられる。すなわち、このファイルは、対になる綴じ孔が設けられた綴じ帯係止部を有するファイル本体部を備え、各綴じ孔に、上記綴じ帯の一端側及び他端側がそれぞれ挿通された構成をとる。このファイルでは、綴じ足の長さを綴じる紙類の幅に応じて長くも短くも調整することが可能となる。
【００３５】
また、この綴じ帯は、ファイル本体部が、表表紙部、背表紙部及び裏表紙部を有し、背表紙部の幅の調整手段を備えたファイルに特に好適に採用される。ファイルの背幅が調整可能なファイルにおいて、綴じ足の長さが調整できないと、綴じられる紙類の幅が厚くなった場合に綴じ足が足らなくなってしまうため、背幅の変更可能量が綴じ足の長さによって制限されてしまう。また、従来の綴じ帯では、連結片部を切断した後に紙類の幅を狭くした場合（綴じられる書類等の量を少なくするなどした場合）、上記したように綴じ足が必要以上に余ってしまい、ファイルから出てしまう場合もあり得るため、このようなことにならない範囲で背幅変更可能量を設定せざるを得ない。これに対し、上記綴じ帯を採用すれば、綴じ足の長さ／綴じ帯の長さを長くも短くも可逆的に設定できるため、綴じ足の長さにとらわれない背幅変更可能量の設定も可能となる。さらに、綴じ帯の長さを３以上に設定できるようにすれば、この設定の自由度がより高くなる。
【００３６】
本発明は上記実施例に限定して解釈されるものではなく、上記実施例は本発明の趣旨・精神に沿って適宜変形することができる。例えば、以下のように変形することも当然に可能である。
【００３７】
（１）紙類に設けられた綴じ孔に挿通され、綴じ孔から突出する綴じ帯を固定することによって紙類を綴じる綴じ帯であって、綴じ帯に対して係合する係合部と、係合部と着脱可能な係合部に係合される被係合部と、を備え、係合部が被係合部と係合する係合箇所を調節することによって、綴じ孔から突出する綴じ帯の長さが調節可能な構成。
この構成では、係合部は、被係合部に係合する。また、延長短縮式綴じ帯を構成する被係合部は、係合部に係合され、係合部と着脱可能である。従って、係合部が被係合部と係合する係合箇所を変更することにより、綴じられる紙類の量に応じて綴じ孔から突出する綴じ帯の長さが調節可能である為、綴じ帯が紙類の両端からはみ出て不格好になることは無い。また、綴じ帯は、二つに切断もしくは分離した状態で紙類を綴じない為、綴じ孔に対して抜き止め状態となるストッパーが不必要である。更に、綴じ帯が綴じ孔に対して係る力が一箇所に集中しにくい為、綴じ孔を拡にくい効果がある。
【００３８】
（２）上記構成において、係合部は、軸部と、軸部より大きい径を持ち軸部と接する頭部とを有し、被係合部は、頭部の径より大きい径を持つ第一貫通孔と、頭部の径より小さい径を持ち、第一貫通孔と繋がっており、第一貫通孔との境界の幅が軸部より大きい第二貫通孔と、を有し、頭部が第一貫通孔から挿入され、軸部が第一貫通孔から第二貫通孔へスライドされ、頭部が第二貫通孔と接することで、係合部が被係合部に係合するようにした構成。
【００３９】
（３）上記（２）の構成はさらに、次のようにしてもよい。軸部は、係合部に設けられ、頭部よりも小さい径を持つ。頭部は、係合部に設けられ、軸部と接し、軸部よりも大きい径を持つ。第一貫通孔は、被係合部に設けられ、頭部の径より大きい径を持ち、頭部を挿入することができる大きさの孔である。第二貫通孔は、被係合部に設けられ、頭部より小さい径を持ち、軸部は挿入することができるが、頭部は挿入することができない大きさの孔である。また、第一貫通孔と第二貫通孔は繋がっており、第一貫通孔と第二貫通孔との境界の幅が軸部より大きい。従って、頭部が第一貫通孔に挿入され、軸部が第一貫通孔から第二貫通孔へスライドされる場合、頭部が第二貫通孔よりも径が大きい為、第二貫通孔から抜き出ず、頭部が第二貫通孔と接することで係合部が被係合部に係合することができる。反対に、軸部を第二貫通孔から第一貫通孔へスライドさせ、頭部を第一貫通孔から外すことにより、係合部と被係合部が外される。以上により、係合部と被係合部はこのような構造とすることで、着脱可能となる。そして、綴じ孔から突出する綴じ帯の長さを容易に調節する事ができる為、綴じ帯の長さを必要以上に長すぎないように調節することにより、紙類を挿通する際の手間がかからず、綴じられた紙類を閲覧する際に邪魔にならないという効果があり、ユーザにとって使い易い綴じ帯である。
【００４０】
（４）綴じ帯を、互いに連結分離可能な帯状の複数の帯状部を有し、複数の帯状部の各々は、少なくとも係合部と被係合部のうち何れかを有することで互いに連結分離可能とした構成。
係合部と被係合部は着脱可能である為、複数の帯状部の各々に少なくとも係合部と被係合部のうち何れかを有することで、複数の帯状部は互いに連結分離可能となる。綴じ帯に複数の帯状部を用いることにより、綴じ帯が一本のみの帯状部の場合よりも、係合部と被係合部の着脱が行い易く、ユーザにとって更に使い易い綴じ帯となる。
【００４１】
（５）上記した延長短縮式綴じ帯と、表表紙部と、裏表紙部と、表表紙部及び裏表紙部の間に位置する背表紙部とを有する表紙部と、紙類を綴じる側の裏表紙部と背表紙部の境に、綴じ帯を係止させる綴じ帯係止部と、を備えたファイル。
表紙部は、ファイルの表の表紙である表表紙部と、表表紙部と対向するファイルの裏の表紙である裏表紙部と、表表紙部と裏表紙部の間に位置する背表紙部とを有する。また、綴じ帯係止部は、紙類を綴じる側の裏表紙部と背表紙部の境に設けられ、綴じ帯の両端を挿通させることにより、綴じ帯を係止させる。紙類を綴じるファイルは、延長短縮式綴じ帯を使用することにより、綴じ孔から突出する綴じ帯の長さを調節することができる為、綴じ帯が紙類の両端からはみ出て不格好になることは無く、ファイルに綴じられた紙類を閲覧する際に邪魔にならず、使い易さが向上する。
【００４２】
（６）綴じ帯に挿通された紙類の綴じ幅に応じて背表紙部の幅が変更可能で、その幅に応じて係合部が被係合部と係合する係合箇所が調節されるファイル。
量の多い紙類を綴じる場合は、ファイルの背表紙部の幅を拡げて使用する。一方、量の少ない紙類を綴じる場合は、ファイルの背表紙部の幅を狭めて使用する。綴じ孔から突出する綴じ帯の長さが短く、量の多い紙類を綴じることができない際は、係合部が被係合部と係合する係合箇所を調節し、綴じ孔から突出する綴じ帯の長さを長く設定することにより、多量の紙類を綴じることができる。また、量の少ない紙類を綴じる場合は、係合部が被係合部と係合する係合箇所を調節し、綴じ帯の長さを短く設定して紙類を綴じる。これにより、綴じ帯は、綴じられる紙類の量に応じて綴じ帯の長さを調節することができる為、ユーザにとって綴じやすい綴じ帯である。背表紙部の幅が変更可能なファイルは、多量の紙類をファイルに綴じることができるため、上記綴じ帯の効果を通常のファイルよりも発揮することができる。
【００４３】
綴じ帯の一端側と他端側とが分離する構成ではなく、一本構成綴じ帯であって、当該綴じ帯内に係合部と被係合部とを備えた構成。
すなわり、一本の綴じ帯において係合部と被係合部を備え、両者を係合させることで綴じ帯の実質長を短くさせ、被係合とすることで実質長を長くするようにしてもよい。
また、上記したように、係合部と被係合部による係合位置が複数に調整できるように構成すれば、綴じ帯の実質長（綴じ足の長さ）を、係合位置の数＋１（被係合の場合）だけ調整することができる。
従って、このような綴じ帯は、上記したような背幅を調整することが可能なファイルに特に好適に採用される。
【図面の簡単な説明】
【００４４】
【図１】実施例の表紙部の平面図である。
【図２】実施例の表紙部の断面図である。
【図３】実施例の綴じ帯の第一帯状部の断面図である。
【図４】実施例の綴じ帯の第二帯状部の上面図である。
【図５】実施例の係合部が被係合部に係合し、第一帯状部と第二帯状部が連結した綴じ帯の断面図である。
【図６】実施例の綴じ帯の綴じ足の長さを最長にするための係合部と被係合部の組み合わせを説明するための第一帯状部と第二帯状部の断面図である。
【図７】実施例の綴じ足の長さを最短にするための係合部と被係合部の組み合わせを説明するための第一帯状部と第二帯状部の断面図である。
【図８】実施例の少数の紙類を綴じる際に使用する表紙部の平面図である。
【符号の説明】
【００４５】
１・・・ファイル
２・・・表表紙部
３・・・裏表紙部
４・・・背表紙部
５・・・収納部
６・・・第一綴じ帯係止部
７・・・第二綴じ帯係止部
８・・・紙類
９・・・綴じ帯固定部
１０・・・係止突起部
２１・・・係合部
２２・・・軸部
２３・・・頭部
２４・・・被係合部
２５・・・第一貫通孔
２６・・・第二貫通孔
３０・・・薄肉部
３１・・・延長短縮式綴じ帯
３２・・・第一帯状部
３３・・・第二帯状部
３４・・・表紙部
【図１】
2009269282.tif 000003
【図２】
2009269282.tif 000004
【図３】
2009269282.tif 000005
【図４】
2009269282.tif 000006
【図５】
2009269282.tif 000007
【図６】
2009269282.tif 000008
【図７】
2009269282.tif 000009
【図８】
2009269282.tif 000010